(57)【要約】【課題】ＬＣＤパネルと共に使用される半導体集積回路において、省スペース、低コスト、及び、低消費電流を達成すると共に、ＭＰＵやＣＰＵ等のコントローラと簡単に接続できるようにする。【解決手段】この半導体集積回路は、液晶表示パネルのバックライトの光源である発光ダイオードを駆動するためのＬＥＤドライバと、外部から供給される電源電圧を安定化して、安定化された電源電圧を液晶ドライバに供給するためのレギュレータと、データ入力端子に供給される画像データのレベルをシフトすることにより、レギュレータによって安定化された電源電圧に対応するレベルを有する画像データを液晶ドライバに供給するレベルシフタと、データ入力端子に供給されるコマンドに従って、少なくともＬＥＤドライバ又はレギュレータの動作をオン／オフさせる制御回路とを具備する。【選択図】図１
2008309834.tif 000002
【特許請求の範囲】
【請求項１】
液晶表示パネル、及び、前記液晶表示パネルを駆動する液晶ドライバに接続されて使用される半導体集積回路であって、
前記液晶表示パネルのバックライトの光源である発光ダイオードを駆動するためのＬＥＤドライバと、
外部から供給される電源電圧を安定化して、安定化された電源電圧を前記液晶ドライバに供給するためのレギュレータと、
データ入力端子に供給される画像データのレベルをシフトすることにより、前記レギュレータによって安定化された電源電圧に対応するレベルを有する画像データを前記液晶ドライバに供給するレベルシフタと、
前記データ入力端子に供給されるコマンドに従って、少なくとも前記ＬＥＤドライバ又は前記レギュレータの動作をオン／オフさせる制御回路と、
を具備する半導体集積回路。
【請求項２】
前記制御回路が、前記データ入力端子に供給される第１のコマンドに従って、前記レギュレータの動作を開始させた後に、前記ＬＥＤドライバの動作及び前記液晶ドライバに対する画像データの供給を開始させる、請求項１記載の半導体集積回路。
【請求項３】
前記制御回路が、前記データ入力端子に供給される第２のコマンドに従って、前記ＬＥＤドライバの動作を停止させる、請求項２記載の半導体集積回路。
【請求項４】
前記制御回路が、前記データ入力端子に供給される第３のコマンドに従って、前記液晶ドライバに対する画像データの供給を停止させる、請求項３記載の半導体集積回路。
【請求項５】
前記データ入力端子に供給されるシリアルデータをパラレルデータに変換する通信インタフェースをさらに具備する、請求項１〜４のいずれか１項記載の半導体集積回路。
【請求項６】
前記通信インタフェースが、パラレルデータに含まれている画像データをフレームメモリに出力し、パラレルデータに含まれているコマンドを前記制御回路に出力する、請求項５記載の半導体集積回路。
【請求項７】
前記レベルシフタが、前記フレームメモリから読み出されたパラレルの画像データのレベルをシフトする、請求項６記載の半導体集積回路。
【請求項８】
外部から供給される電源電圧を安定化して第１の電圧を生成する第２のレギュレータと、
第１の電圧を昇圧して第２の電圧を生成し、得られた第２の電圧を前記液晶表示パネルのバックライトの光源である発光ダイオードに供給する昇圧回路と、
をさらに具備する、請求項１〜７のいずれか１項記載の半導体集積回路。
【請求項９】
前記電圧供給回路が、第１の電圧をＮ倍に昇圧して第２の電圧を生成し、ここで、Ｎが２以上の整数である、請求８記載の半導体集積回路。
【請求項１０】
請求項１〜９のいずれか１項記載の半導体集積回路と、
前記半導体集積回路に外付けされる抵抗及びコンデンサと、
を具備する電源システムインタフェース。
【発明の詳細な説明】
【技術分野】
【０００１】
本発明は、液晶表示パネル（ＬＣＤパネル）と共に使用される半導体集積回路、及び、そのような半導体集積回路を用いた電源システムインタフェースに関する。
【背景技術】
【０００２】
プリンタや携帯電話等の電子機器において、小型のＬＣＤパネルが使用されている。小型のＬＣＤパネルにおいては、バックライトの光源として発光ダイオード（ＬＥＤ）が広く用いられており、ＬＥＤを所定の明るさで発光させるために、ＬＥＤを定電流駆動することが行われている。
【０００３】
また、ＬＣＤパネルの機種によって、ＬＣＤパネルを駆動するＬＣＤドライバのための電源電圧の値が異なるので、そのＬＣＤドライバに適した電源電圧を生成すると共に、それに対応して、ＬＣＤドライバに供給すべき画像データのレベルもシフトさせなければならない。
【０００４】
そこで、ＬＣＤパネルのバックライトの光源として用いられるＬＥＤや、ＬＣＤパネルを駆動するＬＣＤドライバに対して、所望の電源電圧や画像データを供給する電源システムインタフェースを１チップ化すれば、省スペース、低コスト、及び、低消費電流を達成することができる。
【０００５】
関連する技術として、特許文献１には、表示パネルの表示状態に与える影響を低減しながら表示パネルの表示特性に柔軟に対応できる表示ドライバと、そのような表示ドライバを制御するプロセッサユニット（ＭＰＵ）とを含む電子機器が開示されている。
【０００６】
この電子機器においては、初期設定時に、表示パネルの表示特性に対応する表示特性パラメータがＯＴＰ（ｏｎｅ−ｔｉｍｅ−ＰＲＯＭ）回路に書き込まれ、制御レジスタが、ＯＴＰ回路から供給される表示特性パラメータを格納し、制御回路が、ＯＴＰ回路から表示特性パラメータを読み出すときには読出し信号をＯＴＰ回路に出力し、ＯＴＰ回路に表示特性パラメータを書き込むときには書込み信号をＯＴＰ回路に出力し、ＯＴＰ回路から表示特性パラメータを読み出して制御レジスタに再び書き込むリフレッシュ動作を所定のタイミングで行う。しかしながら、特許文献１には、表示パネルにバックライトを点灯させることや、表示パネルの機種に合わせてドライバのための電源電圧を生成することに関しては、記載されていない。
【特許文献１】特開２００５−１９５７４６号公報（第４−５頁、図１）
【発明の開示】
【発明が解決しようとする課題】
【０００７】
そこで、上記の点に鑑み、本発明は、ＬＣＤパネルと共に使用される半導体集積回路において、省スペース、低コスト、及び、低消費電流を達成すると共に、ＭＰＵやＣＰＵ等のコントローラと簡単に接続できるようにすることを目的とする。さらに、本発明は、そのような半導体集積回路を用いて、ＬＣＤパネル用の電源システムインタフェースを実現することを目的とする。
【課題を解決するための手段】
【０００８】
以上の課題を解決するために、本発明の１つの観点に係る半導体集積回路は、液晶表示パネル、及び、液晶表示パネルを駆動する液晶ドライバに接続されて使用される半導体集積回路であって、液晶表示パネルのバックライトの光源である発光ダイオードを駆動するためのＬＥＤドライバと、外部から供給される電源電圧を安定化して、安定化された電源電圧を液晶ドライバに供給するためのレギュレータと、データ入力端子に供給される画像データのレベルをシフトすることにより、レギュレータによって安定化された電源電圧に対応するレベルを有する画像データを液晶ドライバに供給するレベルシフタと、データ入力端子に供給されるコマンドに従って、少なくともＬＥＤドライバ又はレギュレータの動作をオン／オフさせる制御回路とを具備する。
【０００９】
ここで、制御回路が、データ入力端子に供給される第１のコマンドに従って、レギュレータの動作を開始させた後に、ＬＥＤドライバの動作及び液晶ドライバに対する画像データの供給を開始させるようにしても良いし、データ入力端子に供給される第２のコマンドに従って、ＬＥＤドライバの動作を停止させるようにしても良いし、データ入力端子に供給される第３のコマンドに従って、液晶ドライバに対する画像データの供給を停止させるようにしても良い。
【００１０】
また、この半導体集積回路は、データ入力端子に供給されるシリアルデータをパラレルデータに変換する通信インタフェースをさらに具備し、通信インタフェースが、パラレルデータに含まれている画像データをフレームメモリに出力し、パラレルデータに含まれているコマンドを制御回路に出力するようにしても良い。その場合には、レベルシフタが、フレームメモリから読み出されたパラレルの画像データのレベルをシフトする。
【００１１】
また、この半導体集積回路は、外部から供給される電源電圧を安定化して第１の電圧を生成する第２のレギュレータと、第１の電圧を昇圧して第２の電圧を生成し、得られた第２の電圧を液晶表示パネルのバックライトの光源である発光ダイオードに供給する昇圧回路とをさらに具備するようにしても良い。その場合には、電圧供給回路が、第１の電圧をＮ倍（Ｎは、２以上の整数）に昇圧して第２の電圧を生成するようにしても良い。
さらに、本発明の１つの観点に係る電源システムインタフェースは、本発明に係る半導体集積回路と、半導体集積回路に外付けされる抵抗及びコンデンサとを具備する。
【発明の効果】
【００１２】
本発明によれば、ＬＣＤパネルのＬＥＤやＬＣＤドライバに対して所望の電源電圧や画像データを供給する機能を１つの半導体集積回路に持たせることによって、省スペース、低コスト、及び、低消費電流を達成すると共に、半導体集積回路が、１つのデータ入力端子を用いて画像データとコマンドとを入力することにより、ＭＰＵやＣＰＵ等のコントローラと簡単に接続可能となる。さらに、そのような半導体集積回路を用いて、ＬＣＤパネル用の電源システムインタフェースを実現することができる。
【発明を実施するための最良の形態】
【００１３】
以下、本発明を実施するための最良の形態について、図面を参照しながら詳しく説明する。なお、同一の構成要素には同一の参照番号を付して、説明を省略する。
図１は、本発明の各実施形態に係る電源システムインタフェースを含む電子機器の構成の一部を示すブロック図である。以下においては、電子機器として、プリンタを例にとって説明する。
【００１４】
図１に示すように、このプリンタは、バックライトの光源として２つのＬＥＤ１ａ及び１ｂを有する小型の液晶表示パネル（ＬＣＤパネル）１と、ＬＣＤパネル１を駆動するＬＣＤドライバ２と、ＬＥＤ１ａ及び１ｂを駆動すると共に、ＬＣＤドライバ２に電源電圧及び画像データを供給する電源システムインタフェース３と、電源システムインタフェース３に画像データやコマンド等を供給する中央演算装置（ＣＰＵ）４とを有している。なお、小型の液晶表示パネルとは、２インチ程度までの液晶表示パネルのことをいう。
【００１５】
図２は、本発明の第１の実施形態に係る電源システムインタフェースの構成を示すブロック図である。図２に示すように、電源システムインタフェース３は、半導体集積回路３ａによって構成され、ＬＥＤドライバ１１と、シリーズレギュレータ１２と、通信インタフェース１３と、フレームメモリ１４と、画像データ用のレベルシフタ１５と、制御回路１６と、電源電圧監視回路１７と、ＡＮＤゲート１８及び１９とを有している。
【００１６】
本実施形態においては、電源電位ＶＳＳが接地電位とされており、電源システムインタフェース３は、外部から電源電圧ＶＤＤ１（例えば、５Ｖ）及び電源電圧ＶＤＤ２（例えば、３．３Ｖ）が供給されて動作する。電源電圧ＶＤＤ１は、ＬＣＤパネルのバックライトの光源であるＬＥＤ１ａ及び１ｂのアノードにも供給される。
【００１７】
また、ＣＰＵ４（図１）から出力される反転リセット信号ＸＲ、クロック信号ＣＬＫ、及び、シリアルデータＤＡＴＡが、半導体集積回路３ａのリセット信号入力端子、クロック信号入力端子、及び、データ入力端子にそれぞれ入力される。反転リセット信号ＸＲは、制御回路１６に供給され、クロック信号ＣＬＫ及びシリアルデータＤＡＴＡは、通信インタフェース１３に供給される。シリアルデータＤＡＴＡには、画像データの他に、各種のコマンドやパラメータが含まれている。
【００１８】
ＬＥＤドライバ１１は、電源電圧ＶＤＤ２に基づいて参照電圧を生成し、生成された参照電圧と外付けの抵抗ＲＲＥＦとに基づいて定められる定電流を、ＬＣＤパネルのバックライトの光源であるＬＥＤ１ａ及び１ｂに流す。参照電圧を平滑するために、外付けのコンデンサＣＲＥＦが用いられる。
【００１９】
図３は、図２に示すＬＥＤドライバの構成例を示す回路図である。図３においては、１つのＬＥＤ１ａを点灯させるための回路構成が示されている。図３に示すように、ＬＥＤドライバ１１は、基準となる参照電圧ＶＲＥＦを生成する基準電圧源２１と、参照電圧ＶＲＥＦを分圧して分圧電圧ＶＤＩＶを生成する抵抗２２及び２３と、分圧電圧ＶＤＩＶが反転入力端子に入力されるオペアンプ２４と、オペアンプ２４の出力端子がゲートに接続されたＰチャネルＭＯＳＦＥＴ（金属酸化物半導体電界効果トランジスタ）２５及び２６と、トランジスタ２６のドレインと接地電位との間に接続された抵抗２７と、抵抗２７に生じた電圧が非反転入力端子に入力されるオペアンプ２８と、オペアンプ２８の出力端子がゲートに接続されたＮチャネルＭＯＳＦＥＴ２９と、トランジスタ２９のソースと接地電位との間に接続された抵抗３０とを含んでいる。
【００２０】
トランジスタ２５のドレインには、外付けの抵抗ＲＲＥＦが接続されており、抵抗ＲＲＥＦに生じた電圧は、オペアンプ２４の非反転入力端子に入力される。これにより、オペアンプ２４にフィードバックがかけられて、反転入力端子の電圧と非反転入力端子の電圧とが等しくなる。従って、トランジスタ２５のドレイン電流ＩＲＥＦの大きさは、次式（１）で表される。
ＩＲＥＦ＝ＶＤＩＶ／ＲＲＥＦ  ・・・（１）
トランジスタ２５のサイズとトランジスタ２６のサイズとが同じである場合には、トランジスタ２６にも、トランジスタ２５と同じ大きさのドレイン電流ＩＲＥＦが流れる。
【００２１】
また、抵抗３０に生じる電圧は、オペアンプ２８の反転入力端子に入力される。これにより、オペアンプ２８にフィードバックがかけられて、抵抗２７に生じる電圧と抵抗３０に生じる電圧とが等しくなる。抵抗２７及び抵抗３０の抵抗値をそれぞれＲ２７及びＲ３０として表すと、抵抗３０に流れる電流、即ち、ＬＥＤ１ａに流れる電流ＩＬＥＤは、次式（２）で表される。
ＩＬＥＤ＝ＩＲＥＦ×Ｒ２７／Ｒ３０  ・・・（２）
【００２２】
式（１）及び式（２）から、次式（３）が得られる。
ＲＲＥＦ＝ＶＤＩＶ×（Ｒ２７／Ｒ３０）／ＩＬＥＤ
この式（３）に基づいて、外付けの抵抗ＲＲＥＦの抵抗値が決定される。例えば、分圧電圧ＶＤＩＶを１Ｖ、抵抗Ｒ２７を１．２ｋΩ、抵抗Ｒ３０を６Ω、ＬＥＤに流す電流ＩＬＥＤを２０ｍＡとする場合には、抵抗ＲＲＥＦを１０ｋΩとすれば良い。
【００２３】
再び図２を参照すると、シリーズレギュレータ１２は、電源電圧ＶＤＤ１に基づいて第２の参照電圧を生成し、生成された第２の参照電圧に基づいて電源電圧ＶＤＤ１を安定化して、安定化された電源電圧ＶＯＵＴをＬＣＤドライバに供給する。電源電圧ＶＯＵＴの出力端子には、外付けのコンデンサＣＯＵＴが接続されている。
【００２４】
通信インタフェース１３は、クロック信号入力端子を介して供給されるクロック信号ＣＬＫに同期して、データ入力端子を介して供給されるシリアルデータＤＡＴＡを受信し、シリアルデータＤＡＴＡをパラレルデータに変換する。さらに、通信インタフェース１３は、パラレルデータに含まれている画像データをフレームメモリ１４に出力し、パラレルデータに含まれているコマンドを制御回路１６に出力する。
【００２５】
フレームメモリ１４は、通信インタフェース１３から供給されるパラレル画像データを格納する。レベルシフタ１５は、フレームメモリ１４から読み出されたパラレル画像データのレベルをシフトすることにより、シリーズレギュレータ１２によって安定化された電源電圧ＶＯＵＴに対応するレベルを有するパラレル画像データをＬＣＤドライバ２（図１）に供給する。
【００２６】
制御回路１６は、リセット信号入力端子に入力される反転リセット信号ＸＲ、及び、データ入力端子に供給される複数のコマンドに従って、ＬＥＤドライバ１１のバックライト点灯動作、シリーズレギュレータ１２の電源電圧供給動作、及び、フレームメモリ１４又はレベルシフタ１５の画像データ供給動作をそれぞれオン／オフさせる制御信号Ｃ１〜Ｃ３を生成する。また、制御回路１６は、それぞれのレベルシフタを介して、反転書込み信号ＸＷＲ、反転リセット信号ＸＲＥＳ、及び、チップセレクト信号ＸＣＳをＬＣＤドライバ２に供給する。
【００２７】
電源電圧監視回路１７は、電源電圧ＶＤＤ１及びＶＤＤ２の立ち上がりを監視して、電源電圧ＶＤＤ１及びＶＤＤ２の両方が立ち上がると、パワーオン信号ＰＯをハイレベルに活性化する。ＡＮＤゲート１８は、制御回路１６から出力される制御信号Ｃ１と電源電圧監視回路１７から出力されるパワーオン信号ＰＯとの論理積を求めてＬＥＤドライバ１１に出力する。これにより、制御信号Ｃ１とパワーオン信号ＰＯとの両方が活性化されたときに、ＬＥＤドライバ１１が動作する。また、ＡＮＤゲート１９は、制御回路１６から出力される制御信号Ｃ２と電源電圧監視回路１７から出力されるパワーオン信号ＰＯとの論理積を求めてシリーズレギュレータ１２に出力する。これにより、制御信号Ｃ２とパワーオン信号ＰＯとの両方が活性化されたときに、シリーズレギュレータ１２が動作する。
【００２８】
通信インタフェース１３から制御回路１６に供給されるコマンドとしては、ＬＣＤパネルの表示をオンさせる第１のコマンド、パワーセーブのためにＬＥＤドライバの動作を停止させる第２のコマンド、パワーセーブのためにＬＣＤドライバに対する画像データの供給を停止させる第３のコマンド、パワーセーブを解除する第４のコマンド、ＬＣＤパネルの表示をオフさせる第５のコマンド等が用いられる。
【００２９】
例えば、図１に示すＣＰＵ４は、プリンタの電源スイッチがオンされたときに、第１のコマンドを電源システムインタフェース３に送信する。電源システムインタフェース３において、第１のコマンドがデータ入力端子を介して制御回路１６に供給されると、制御回路１６は、第１のコマンドに従って、まず、シリーズレギュレータ１２の電源電圧供給動作を開始させた後に、ＬＥＤドライバ１１のバックライト点灯動作、及び、フレームメモリ１４又はレベルシフタ１５の画像データ供給動作を開始させる。
【００３０】
また、ＣＰＵ４は、第１の所定の期間においてホストコンピュータ等からプリンタに命令又は印字データが入力されない場合に、第２のコマンドを電源システムインタフェース３に送信する。電源システムインタフェース３において、第２のコマンドがデータ入力端子を介して制御回路１６に供給されると、制御回路１６は、第２のコマンドに従って、ＬＥＤドライバ１１のバックライト点灯動作を停止させる。
【００３１】
さらに、ＣＰＵ４は、第２の所定の期間においてホストコンピュータ等からプリンタに命令又は印字データが入力されない場合に、第３のコマンドを電源システムインタフェース３に送信する。電源システムインタフェース３において、第３のコマンドがデータ入力端子を介して制御回路１６に供給されると、制御回路１６は、第３のコマンドに従って、フレームメモリ１４又はレベルシフタ１５の画像データ供給動作を停止させる。
【００３２】
次に、本発明の第２の実施形態について説明する。図２に示す第１の実施形態に係る電源システムインタフェースは、２種類の電源電圧ＶＤＤ１及びＶＤＤ２を必要としていたが、第２の実施形態に係る電源システムインタフェースは、１種類の電源電圧ＶＤＤ（例えば、３．３Ｖ）のみで動作が可能である。その他の点に関しては、第１の実施形態と同様である。
【００３３】
図４は、本発明の第２の実施形態に係る電源システムインタフェースの構成の一部を示す回路図である。図４においては、１つのＬＥＤ１ａを点灯させるための回路構成が示されている。図４に示すように、この電源システムインタフェースは、電源電圧ＶＤＤが供給されて動作するＬＥＤドライバ１１と、ＬＣＤドライバ１１等に電源電圧を供給するために電源電圧ＶＤＤを安定化して電源電圧ＶＯＵＴ１を生成するシリーズレギュレータ３２と、電源電圧ＶＤＤ及びＶＯＵＴ１が供給されて動作する信号処理部３３と、ＬＥＤに電源電圧を供給するために電源電圧ＶＤＤを安定化して電源電圧ＶＯＵＴ２を生成する第２のシリーズレギュレータ３４と、電源電圧ＶＯＵＴ２を昇圧して電源電圧ＶＯＵＴ３を生成し、電源電圧ＶＯＵＴ３をＬＥＤ１ａのアノードに供給する昇圧回路３５とを有している。ここで、図４に示す破線内の部分が、半導体集積回路によって構成される。
【００３４】
シリーズレギュレータ３２及び第２のシリーズレギュレータ３４の各々は、それぞれの参照電位ＶＲＥＦが反転入力端子に入力されるオペアンプ４１と、オペアンプ４１の出力端子がゲートに接続されたＰチャネルＭＯＳＦＥＴ４２と、トランジスタ４２のドレインと接地電位との間に直列接続された抵抗４３及び４４とを含み、抵抗４３と抵抗４４との接続点において分圧された電圧が、オペアンプ４１の非反転入力端子に入力される。
【００３５】
ここで、電源電圧ＶＤＤを入力する入力端子には外付けのコンデンサＣＩＮが接続され、シリーズレギュレータ３２の出力端子には外付けのコンデンサＣＯＵＴ１が接続され、第２のシリーズレギュレータ３４の出力端子には外付けのコンデンサＣＯＵＴ２が接続されている。
【００３６】
また、信号処理部３３は、複数の入力バッファ５１と、信号処理／制御回路５２と、複数のレベルシフタ５３とを含んでいる。信号処理／制御回路５２は、図２に示す通信インタフェース１３、フレームメモリ１４、及び、制御回路１６に相当する。
【００３７】
昇圧回路３５としては、例えば、ＰチャネルＭＯＳＦＥＴ６１〜６３と、ＮチャネルＭＯＳＦＥＴ６４と、外付けのコンデンサＣＰＵＭＰ等とによって構成されるチャージポンプ型の昇圧回路が用いられる。昇圧回路３５は、電源電圧ＶＯＵＴ２をＮ倍（Ｎは、２以上の整数）に昇圧して、電源電圧ＶＯＵＴ３を生成する。例えば、電源電圧ＶＯＵＴ２が２．５Ｖである場合に、昇圧回路３５は、電源電圧ＶＯＵＴ２を２倍に昇圧して、５Ｖの電源電圧ＶＯＵＴ３を生成する。昇圧回路３５の出力端子には、外付けのコンデンサＣＯＵＴ３が接続されている。コンデンサＣＯＵＴ３によって平滑された電源電圧ＶＯＵＴ３は、ＬＥＤ１ａのアノードに供給される。
【００３８】
第２の実施形態によれば、１種類の電源電圧ＶＤＤのみを用いて、ＬＥＤの点灯とＬＣＤドライバへの電源電圧及び画像データの供給とを行うことができる。なお、図４に示すシリーズレギュレータ３２及び第２のシリーズレギュレータ３４においては、トランジスタ４２のドレイン電位が抵抗４３の一端に印加されることによってフィードバックループが形成されているが、その替わりに、電源電圧ＶＯＵＴ３、又は、トランジスタ２９のソース電位を抵抗４３の一端に印加することによってフィードバックループを形成しても良い。
【図面の簡単な説明】
【００３９】
【図１】本発明に係る電源システムインタフェースを含む電子機器を示すブロック図。
【図２】本発明の第１の実施形態に係る電源システムインタフェースを示す図。
【図３】図２に示すＬＥＤドライバの構成例を示す回路図。
【図４】本発明の第２の実施形態に係る電源システムインタフェースの一部を示す図。
【符号の説明】
【００４０】
１  ＬＣＤパネル、  １ａ、１ｂ  ＬＥＤ、  ２  ＬＣＤドライバ、  ３  電源システムインタフェース、  ３ａ  半導体集積回路、  ４  中央演算装置（ＣＰＵ）、  １１  ＬＥＤドライバ、  １２、３２  シリーズレギュレータ、  １３  通信インタフェース、  １４  フレームメモリ、  １５  レベルシフタ、  １６  制御回路、  １７  電源電圧監視回路、  １８、１９  ＡＮＤゲート、  ２１  基準電圧源、  ２２、２３、２７、３０、４３、４４  抵抗、  ２４、２８、４１  オペアンプ、  ２５、２６、２９、４２、６１〜６４  トランジスタ、  ３３  信号処理部、  ３４  第２のシリーズレギュレータ、  ３５  昇圧回路、  ５１  入力バッファ、  ５２  信号処理／制御回路、  ５３  レベルシフタ、  ＲＲＥＦ  抵抗、  ＣＲＥＦ、ＣＩＮ、ＣＯＵＴ、ＣＯＵＴ１、ＣＯＵＴ２、ＣＯＵＴ３  コンデンサ
【図１】
2008309834.tif 000003
【図２】
2008309834.tif 000004
【図３】
2008309834.tif 000005
【図４】
2008309834.tif 000006
【手続補正書】
【提出日】平成20年4月16日(2008.4.16)
【手続補正１】
【補正対象書類名】特許請求の範囲
【補正対象項目名】全文
【補正方法】変更
【補正の内容】
【特許請求の範囲】
【請求項１】
液晶表示パネル、及び、前記液晶表示パネルを駆動する液晶ドライバに接続されて使用される半導体集積回路であって、
前記液晶表示パネルのバックライトの光源である発光ダイオードを駆動するためのＬＥＤドライバと、
外部から供給される電源電圧を安定化して、安定化された電源電圧を前記液晶ドライバに供給するためのレギュレータと、
データ入力端子に供給される画像データのレベルをシフトすることにより、前記レギュレータによって安定化された電源電圧に対応するレベルを有する画像データを前記液晶ドライバに供給するレベルシフタと、
前記データ入力端子に供給されるコマンドに従って、少なくとも前記ＬＥＤドライバ又は前記レギュレータの動作をオン／オフさせる制御回路と、
を具備する半導体集積回路。
【請求項２】
前記制御回路が、前記データ入力端子に供給される第１のコマンドに従って、前記レギュレータの動作を開始させた後に、前記ＬＥＤドライバの動作及び前記液晶ドライバに対する画像データの供給を開始させる、請求項１記載の半導体集積回路。
【請求項３】
前記制御回路が、前記データ入力端子に供給される第２のコマンドに従って、前記ＬＥＤドライバの動作を停止させる、請求項２記載の半導体集積回路。
【請求項４】
前記制御回路が、前記データ入力端子に供給される第３のコマンドに従って、前記液晶ドライバに対する画像データの供給を停止させる、請求項３記載の半導体集積回路。
【請求項５】
前記データ入力端子に供給されるシリアルデータをパラレルデータに変換する通信インタフェースをさらに具備する、請求項１〜４のいずれか１項記載の半導体集積回路。
【請求項６】
前記通信インタフェースが、パラレルデータに含まれている画像データをフレームメモリに出力し、パラレルデータに含まれているコマンドを前記制御回路に出力する、請求項５記載の半導体集積回路。
【請求項７】
前記レベルシフタが、前記フレームメモリから読み出されたパラレルの画像データのレベルをシフトする、請求項６記載の半導体集積回路。
【請求項８】
外部から供給される電源電圧を安定化して第１の電圧を生成する第２のレギュレータと、
第１の電圧を昇圧して第２の電圧を生成し、得られた第２の電圧を前記液晶表示パネルのバックライトの光源である発光ダイオードに供給する昇圧回路と、
をさらに具備する、請求項１〜７のいずれか１項記載の半導体集積回路。
【請求項９】
前記電圧供給回路が、第１の電圧をＮ倍に昇圧して第２の電圧を生成し、ここで、Ｎが２以上の整数である、請求８記載の半導体集積回路。
【請求項１０】
請求項１〜９のいずれか１項記載の半導体集積回路と、
前記半導体集積回路に外付けされる抵抗及びコンデンサと、
を具備する電源システムインタフェース。
【請求項１１】
請求項１乃至９のいずれか１項に記載の半導体集積回路を含む電子機器。
【請求項１２】
電気光学素子を動作させるための半導体集積回路であって、
発光素子を駆動するためのドライバと、
電源電圧を供給するためのレギュレータと、
画像データのレベルをシフトするレベルシフタと、
前記ドライバまたは前記レギュレータの動作を制御する制御回路と、
を含むことを特徴とする半導体集積回路。
【請求項１３】
請求項１２に記載の半導体集積回路を含むことを特徴とする電源システムインターフェース。
【請求項１４】
請求項１２に記載の半導体集積回路を含むことを特徴とする電子機器。
【手続補正３】
【補正対象書類名】明細書
【補正対象項目名】００１１
【補正方法】変更
【補正の内容】
【００１１】
また、この半導体集積回路は、外部から供給される電源電圧を安定化して第１の電圧を生成する第２のレギュレータと、第１の電圧を昇圧して第２の電圧を生成し、得られた第２の電圧を液晶表示パネルのバックライトの光源である発光ダイオードに供給する昇圧回路とをさらに具備するようにしても良い。その場合には、電圧供給回路が、第１の電圧をＮ倍（Ｎは、２以上の整数）に昇圧して第２の電圧を生成するようにしても良い。
さらに、本発明の１つの観点に係る電源システムインタフェースは、本発明に係る半導体集積回路と、半導体集積回路に外付けされる抵抗及びコンデンサとを具備する。
また、本発明に係る半導体集積回路は、電気光学素子を動作させるための半導体集積回路であって、発光素子を駆動するためのドライバと、電源電圧を供給するためのレギュレータと、画像データのレベルをシフトするレベルシフタと、前記ドライバまたは前記レギュレータの動作を制御する制御回路と、を含むことを特徴とする。